(57)【特許請求の範囲】
【請求項１】
ケース内に熱線センサを有し、ケースの前方に形成される熱線センサの検知エリア内の人の存否に応じた人体検知出力が得られる人体検知器であって、熱線センサを覆う形でレンズ板が配設されるとともに、レンズ板により形成された検知エリアの向きを変えるミラーを設けた検知エリア調整部材がケースの前面側でケースに対して着脱自在に装着されて成り、検知エリア調整部材は、該検知エリア調整部材を装着したときに形成される検知エリアの向きを表示する表示部が形成されて成ることを特徴とする人体検知器。
【請求項２】
検知エリア調整部材は、熱線センサの検知面に平行な面内で１８０度回転させた状態で装着可能とする装着手段を備えることを特徴とする請求項１記載の人体検知器。
【請求項３】
検知エリア調整部材の前面側にレンズ板および検知エリア調整部材を覆う形でレンズカバーが配設されて成ることを特徴とする請求項１または請求項２に記載の人体検知器。
【請求項４】
ケースは、埋込型の配線器具用の取付枠に該取付枠の開口窓からケースの前面が露出する形で最大３個まで連設して取り付けることができる単位寸法の埋込型の配線器具の３個分に相当する寸法に形成され、上記取付枠に取り付けるための取付部が形成されて成ることを特徴とする請求項１ないし請求項３のいずれかに記載の人体検知器。
【発明の詳細な説明】
【０００１】
【発明の属する技術分野】
本発明は、人体から放射される熱線を検知することによって人体検知出力を発生する人体検知器に関するものである。
【０００２】
【従来の技術】
従来より、焦電素子等よりなる熱線センサを用いて玄関やトイレなどの人の出入りを検出し、照明負荷を自動的に点灯させるというような目的で用いられる人体検知器が提供されている。この種の人体検知器は、熱線センサの出力に基づいて人体検知出力を発生する信号処理部などを納装したケースを壁面や天井などに取り付け、スイッチ要素を照明負荷への給電路に挿入しておくことによって、照明負荷の点灯・消灯を制御するのが一般的である。
【０００３】
ここに、壁面に取り付けられる人体検知器は、例えば、図１１に示すように、ボディ１０とカバー２０とを結合することによりケース１を形成しており、ケース１の前面に対して回動自在な回動枠３０を備えている。この人体検知器では、熱線センサ２が実装された回路基板４３’が回動枠３０に対して固定されており、回動枠３０の一部に突設された方向調節つまみ３０ａを手で操作することにより、回動枠３０を回動させることができるようなっている。なお、図示例では、図１１において時計方向および反時計方向にそれぞれ約４０度ずつ回動できるようになっている。つまり、熱線センサ２の検知領域を調節するために、ケース１に対して回動自在に保持された回動枠３０の中に熱線センサ２を収納することによって、熱線センサ２の検知面の向きを調整している。ここに、ボディ１０の底面からは、先端面が弧状となった支持リブ１４が突設されており、回動枠３０の一端部は、カバー２０の前面に突設された半円状の一対の回動枠保持板（図示せず）の一方の周壁の内周面と支持リブ１４の先端面との間で、支持リブ１４の先端面に摺接して回動自在となるように保持される。また、回動枠３０の他端部は、回動枠保持板（図示せず）の他方の周壁の内周面と支持部材（図示せず）との間で回動自在に保持される。なお、回路基板４３’は、他の回路部品が実装された回路基板４１と接続線（図示せず）によって接続されている。
【０００４】
さらに、回動枠３０の前面側にはレンズ板３３’が湾曲した形で装着されている。レンズ板３３’は、熱線が透過しやすい高密度ポリエチレン等の材料によって形成されたフレネルレンズであって、複数の焦点を有していて熱線センサ２の検知領域を複数の領域に分割するようになっている。なお、図１１には、レンズ板３３’により設定される回動枠３０の回転軸に略直交する平面内での検知エリアＤを示してある。ここに、回動枠３０を図１１の位置に固定している状態での検知エリアＤはほぼ９０度であり、図１１の上方向に検知エリアＤの中心がある。
【０００５】
【発明が解決しようとする課題】
しかしながら、上記従来構成では、検知エリアＤを調整するためには、回動枠３０を回動させる必要があるので、回動枠３０や支持リブ１４や回動枠保持板などの寸法精度を高める必要があり、製造しにくくコストが高くなるという不具合があった。
【０００６】
本発明は上記事由に鑑みて為されたものであり、その目的は、製造が容易で低コスト化が可能な人体検知器を提供することにある。
【０００７】
【課題を解決するための手段】
請求項１の発明は、上記目的を達成するために、ケース内に熱線センサを有し、ケースの前方に形成される熱線センサの検知エリア内の人の存否に応じた人体検知出力が得られる人体検知器であって、熱線センサを覆う形でレンズ板が配設されるとともに、レンズ板により形成された検知エリアの向きを変えるミラーを設けた検知エリア調整部材がケースの前面側でケースに対して着脱自在に装着されて成ることを特徴とするものであり、従来のような回動枠が不要となるから、検知エリア調整部材の着脱や仕様変更だけで検知エリアの設定が容易に行え、製造が容易になるとともに、低コスト化が図れ、検知エリアの変更に伴う製造コストの増加が少なくなる。
【０００８】
また、検知エリア調整部材は、該検知エリア調整部材を装着したときに形成される検知エリアの向きを表示する表示部が形成されているので、検知エリア調整部材を装着した状態での検知エリアの向きを視認することができ、施工時などに検知エリア調整部材の装着間違いを無くすことができる。
【０００９】
請求項２の発明は、請求項１の発明において、検知エリア調整部材は、熱線センサの検知面に平行な面内で１８０度回転させた状態で装着可能とする装着手段を備えるので、一つの検知エリア調整部材により検知面に直交する面内に検知エリアの中心の向きが異なる２通りの検知エリアを選択して設定することが可能となる。
【００１０】
請求項３の発明は、請求項１または請求項２の発明において、検知エリア調整部材の前面側にレンズ板および検知エリア調整部材を覆う形でレンズカバーが配設されているので、レンズ板および検知エリア調整部材に傷がつくのを防止することができるとともに、外観を良くすることができる。
【００１１】
請求項４の発明は、請求項１ないし請求項３の発明において、ケースは、埋込型の配線器具用の取付枠に該取付枠の開口窓からケースの前面が露出する形で最大３個まで連設して取り付けることができる単位寸法の埋込型の配線器具の３個分に相当する寸法に形成され、上記取付枠に取り付けるための取付部が形成されているので、コンセントやスイッチなどの埋込型の配線器具と同じ施工法で施工することができ、施工業者にとって施工作業が容易になり、また、埋込型の配線器具用の取付枠に取り付けることができるから、専用の取付枠を別途に用意する必要がなく、製造コストを低減できるとともに、在庫管理が容易になる。
【００１２】
【発明の実施の形態】
図１および図２に示すように、ケース１は、合成樹脂成形品よりなり、ボディ１０とカバー２０とを結合して形成される。ケース１は、ＪＩＳ規格で規格化されている大角形連用配線器具の３個用の取付枠に取り付けることができる大角形連用配線器具の３個モジュールの寸法に形成されている。つまり、ケース１は、埋込型の配線器具用の取付枠に該取付枠の開口窓から器体の前面が露出する形で最大３個まで連設して取り付けることができる単位寸法の埋込型の配線器具の３個分に相当する寸法に形成されている。ここに、上記取付枠としては、図２に示す金属製取付枠６０と、合成樹脂製取付枠（図示せず）とがある。
【００１３】
ケース１には、金属製取付枠６０の保持爪６８が係合する取付孔２１と、合成樹脂製取付枠の保持孔に係合する取付爪２２とが、それぞれカバー２０の両側面に形成されており、上記取付枠に１個だけケース１を取り付けることができるのである。カバー２０の後面には、先端部に結合爪２３ａを備えた結合脚２３が、カバー２０の両側面とカバー２０の長手方向の一端面（図２における右側の端面）との３箇所で突設され、各結合脚２３がボディ１０の周部に穿孔された結合孔１１に挿入されて結合爪２３ａが結合孔１１の周縁に係止される（図１１参照）ことによって、ボディ１０にカバー２０が結合される。
【００１４】
ボディ１０内には、回路部収納室１２と一対の端子収納室１３とが形成されている。また、回路部収納室１２には、電源回路部、後述のモード切替スイッチＳＷなどを実装した回路基板４１が納装される。各端子収納室１３には、それぞれ速結端子よりなる端子５０が納装される。端子５０は、鎖錠ばね５１と端子板５２と解除釦５３とからなり、ボディ１０の底面に穿孔された電線挿通孔（図示せず）より挿入された電線を、鎖錠ばね５１のばね力により鎖錠ばね５１と端子板５２との間に挟持することによって保持する。また、ボディ１０の底面に穿孔された釦操作孔１６よりドライバ等の治具を挿入して解除釦５３を操作することによって、鎖錠ばね５１を撓ませて鎖錠ばね５１を端子板５２から離し、電線が容易に抜けるようにしてある。なお、端子板５２は、回路基板４１に対して半田付けされている。
【００１５】
ところで、図１１に示した従来構成では、回動枠３０にフレネルレンズよりなるレンズ板３３’を取り付けるようになっていたが、本実施形態では、レンズ板３３は、熱線センサ２を覆う形で熱線センサ２が実装された回路基板４３に取り付けられる。レンズ板３３の形状は、椀状であって、開口部の周縁から後方に向かって突設された一対の結合脚３３ａを、回路基板４３において熱線センサ２の両側に形成された係合孔４３ｂに挿入して、結合脚３３ａの先端部の係止爪３３ｂを係合孔４３ｂの周縁に係止している。なお、レンズ板３３は、熱線が透過しやすい高密度ポリエチレン等の材料によって形成されたフレネルレンズであって、複数の焦点を有していて熱線センサ２の検知領域を複数の領域に分割するようになっている。
【００１６】
また、図１１に示した従来構成では、熱線センサ２が実装された回路基板４３’は回動枠３０に対して固定され、カバー２０に対しては回動自在となっていたが、本実施形態では、熱線センサ２が実装された回路基板４３は、図３に示すように固定ねじ９５を挿通して固定ねじ９５をカバー２０の後面側のねじ取付部２４に螺着することにより、カバー２０に対して固定される。なお、回路基板４３をカバー２０に固定する構造としては、図４に示すように、カバー２０の後面から後方に向かって突設され図４の左右方向に撓み自在な固定用脚２０ａと固定用脚２０ａよりも内側で後方に向かって突設されたリブ２７とを用いて固定するような構造を採用してもよい。カバー２０は前面側において回路基板４３の前方に第１の凹所２５が形成されており、レンズ板３３の前部は第１の凹所２５の底面に穿孔された挿通孔２５ａを通して露出する。なお、上述した各回路基板４１，４３は接続線４４を介して互いに接続される。
【００１７】
ところで、カバー２０の前面側には、レンズ板３３の前部を覆う形で検知エリア調整部材３５が着脱自在に装着される。検知エリア調整部材３５は、図５および図６に示すように、半円状に形成された一対の端板３７ａ，３７ｂを一対の側枠３５ｂで連結した枠状に形成されている。また、検知エリア調整部材３５は、レンズ板３３により形成された検知エリアの向きを変える２つのミラー面３６ａ，３６ｂが形成されたミラー部３６が端板３７ａ，３７ｂ同士を連結するように一方の側枠３５ｂに連続一体に形成されている。
【００１８】
各側枠３５ｂの後面の中間部からは後方に向かって結合脚３５ｃが突設されており、カバー２０の長手方向に直交する方向において挿通孔２５ａの両側に形成された係合孔２５ｂに結合脚３５ｃを挿入して、結合脚３５ｃの先端部の係止爪３５ｄを係合孔２５ｂの周縁に係止している。ここに、先端部に係止爪３５ｄの形成された一対の結合脚３５ｃが、検知エリア調整部材３５を、熱線センサ２の検知面に平行な面内で１８０度回転させた状態で装着可能とする装着手段を構成しており、図１において検知エリア調整部材３５の左右を逆にしても装着できるようになっている。なお、検知エリア調整部材３５は、ＡＢＳ樹脂等の成形品よりなり、全面にクロムめっきを施すことによりミラー面３６ａ，３６ｂを形成してもよいし、金属板を接着材や両面テープなどで接着して該金属板によりミラー面３６ａ，３６ｂを形成してもよい。
【００１９】
また、検知エリア調整部材３５の各端板３７ａ，３７ｂの外面にはそれぞれ検知エリアＤの向きを表示する表示部３８が形成されており、検知エリア調整部材３５を装着した状態での検知エリアＤの向きを視認することができ、施工時などに検知エリア調整部材３５の装着間違いをなくすことができる。
【００２０】
さらに、カバー２０の前面側には、レンズ板３３および検知エリア調整部材３５を覆い第１の凹所２５を閉塞するレンズカバー３４が着脱自在に取り付けられる。レンズカバー３４は、赤外線を透過すればよいから通常は着色されており、透光性を有する高密度ポリエチレンなどの材料で形成される。レンズカバー３４は、後面が開口したかまぼこ状のレンズカバー本体３４ａと、レンズカバー本体３４ａの後部から連続一体に形成され外形が矩形状の鍔部３４ｂとを備え、レンズ本体３４ａの後縁からから突設された４つの結合脚３４ｃをそれぞれ、カバー２０の第１の凹所２５の底面に形成された係合孔２５ｃに挿入して結合脚３４ｃの先端部の係止爪３４ｄを係合孔２５ｃの周縁に係止している。
【００２１】
回路基板４３には、熱線センサ２の他に、熱線センサ２の出力信号に基づいて負荷への給電路に挿入されたスイッチ要素をオンオフさせる信号処理部（図示せず）などが実装されている。要するに、信号処理部は、熱線センサ２の出力信号に基づいて（つまり、検知エリア内の人の存否に応じて）人体検知出力を発生する。
【００２２】
なお、回路基板４１には、上記一対の端子５０を介して接続される商用電源の出力を整流平滑し安定化して信号処理部に給電する電源回路部が設けられている。また、信号処理部は、熱線センサ２により熱線が検知されると出力端子の出力レベルを一定時間だけハイレベルにするように構成されており、人のわずかな動きを検出して出力を連続的に得るようにしてあり、熱線センサ２により人体から放射される熱線が検知されなくなると、出力端子の出力レベルが一定時間後にローレベルになるのであり、この一定時間は、回路基板４１に実装された可変抵抗器ＶＲを調整することによって変更できるようになっている。また、信号処理部には、ケース１の前方の明るさを検出する受光素子（図示せず）が接続されて、受光素子により検出される受光光量が所定量を超えると信号処理部の動作を停止するようになっており、この所定量は、回路基板４１に実装された動作照度調整スイッチ７２により調整できるようになっている。可変抵抗器ＶＲのハンドル７１、動作照度調整スイッチ７２のハンドル７３は、カバー２０の前面側に形成された第２の凹所２８の底面に穿孔された露出孔２８ｂ，２８ｃを通してカバー２０の前面側に露出する。ここで、ハンドル７１，７３は、カバー２０の前面側に開閉自在に取り付けられる蓋６によって覆われる。
【００２３】
さらに、回路基板４１には、熱線センサ２の出力信号に基づいて照明負荷を自動制御する自動モードと、熱線センサ２の出力信号とは無関係に照明負荷を常時オンにするオンモード（連続入モード）と、熱線センサ２の出力信号とは無関係に照明負荷を常時オフにするオフモード（切モード）とが選択できる３接点のスイッチよりなるモード切替スイッチＳＷが実装されている。モード切替スイッチＳＷの操作用のハンドル１０１は、カバー２０の第２の凹所２８の底面に形成された露出孔２８ａを通してカバー２０の前面に露出する。ここで、上記ハンドル１０１は、扉６の切欠部６ｄからケース１の前方に突出している。なお、扉６は、合成樹脂等により形成されていて一端側の両側部に突設された突出部６ｃが第２の凹所２８の溝部２９の両側において係止されている。モード切替スイッチＳＷのハンドル１０１の背面には端部に係合爪を備えた抜止脚１０１ａが２箇所で突設され、各抜止脚１０１ａが露出孔２８ａに挿入されて露出孔２８ａの周縁に係合し抜け止めされる。
【００２４】
なお、壁面等への施工時には、ケース１は、上述の取付枠に取着される。例えば、金属製取付枠６０は、一対の側片６１ａ，６１ｂの両端をそれぞれ取付片６２により連結した枠状に形成されており、各側片６１ａ，６１ｂには、ケース１の側面に形成された取付孔２１に挿入される保持爪６８が突設され、一方の側片６１ａにおける保持爪６８に対応する部位には切欠孔６３が穿孔され、切欠孔６３にドライバ等の治具を挿入してこじることで、保持爪６８が取付孔２１内に挿入されるように側片６１ａの一部を塑性変形させることができるようになっている。各取付片６２には、金属製取付枠６０をスイッチボックス等の埋込ボックスに取り付けることができるように、ボックスねじを挿入する長孔６４が穿孔され、また、金属製取付枠６０の前面を覆う化粧プレートが取り付けられるように、プレートねじが螺合するねじ孔６５が形成されている。さらに、金属製取付枠６０との間で壁パネル等を挟持する周知のはさみ金具が取り付けられるように、金具取付孔６６が穿設されている。
【００２５】
ところで、図７に示すように検知エリア調整部材３５をカバー２０に対して装着していない状態では、検知エリアＤの中心軸が熱線センサ２の検知面に直交し図７における上方にある。これに対し、図５および図６に示す検知エリア調整部材３５をカバー２０に対して装着することにより、ミラー面３６ａ，３６ｂで熱線（赤外線）が反射されて熱線の向きが変えられる。ここにおいて、ミラー面３６ａ，３６ｂは、図１に示すように、検知エリアＤの中心軸が反時計方向に４０度回転するように形成されている。また、図１において検知エリア調整部材３５の左右を逆にしても装着できるようになっているので、検知エリア調整部材３５の左右を逆にして装着することにより、検知エリアＤの中心軸が図７よりも時計方向に４０度回転することになる。
【００２６】
また、図９および図１０に示すようにミラー部３６に１つのミラー面３６ａだけが形成された検知エリア調整部材３５を、図８に示すように装着することにより、検知エリアＤを変更することができる。ここにおいて、ミラー面３６ａは、図８に示すように検知エリアＤの中心軸が図７よりも反時計方向に２０度回転するように形成されている。
【００２７】
しかして、本実施形態の人体検知器では、熱線センサ２の検知面を覆う形でレンズ板３３が配設されるとともに、レンズ板３３により形成された検知エリアの向きを変えるミラー面３６ａ，３６ｂを設けた検知エリア調整部材３５がケース１の前面側でケース１に対して着脱自在に装着されるので、従来のような回動枠３０が不要となり、検知エリア調整部材３５の着脱や仕様変更だけで検知エリアの設定が容易に行えるから、製造が容易になるとともに、低コスト化が図れ、検知エリアの変更に伴う製造コストの増加が少なくなる。
【００２８】
また、図１１に示した従来構成のように回路基板４３’を回動させる必要がないから、回路基板４３と回路基板４１とを接続する接続線４４の切断を防止することができる。
【００２９】
【発明の効果】
請求項１の発明は、ケース内に熱線センサを有し、ケースの前方に形成される熱線センサの検知エリア内の人の存否に応じた人体検知出力が得られる人体検知器であって、熱線センサを覆う形でレンズ板が配設されるとともに、レンズ板により形成された検知エリアの向きを変えるミラーを設けた検知エリア調整部材がケースの前面側でケースに対して着脱自在に装着されているので、従来のような回動枠が不要となるから、検知エリア調整部材の着脱や仕様変更だけで検知エリアの設定が容易に行え、製造が容易になるとともに、低コスト化が図れ、検知エリアの変更に伴う製造コストの増加が少なくなるという効果がある。
【００３０】
また、検知エリア調整部材は、該検知エリア調整部材を装着したときに形成される検知エリアの向きを表示する表示部が形成されているので、検知エリア調整部材を装着した状態での検知エリアの向きを視認することができ、施工時などに検知エリア調整部材の装着間違いを無くすことができるという効果がある。
【００３１】
請求項２の発明は、請求項１の発明において、検知エリア調整部材は、熱線センサの検知面に平行な面内で１８０度回転させた状態で装着可能とする装着手段を備えるので、一つの検知エリア調整部材により検知面に直交する面内に検知エリアの中心の向きが異なる２通りの検知エリアを選択して設定することが可能となるという効果がある。
【００３２】
請求項３の発明は、請求項１または請求項２の発明において、検知エリア調整部材の前面側にレンズ板および検知エリア調整部材を覆う形でレンズカバーが配設されているので、レンズ板および検知エリア調整部材に傷がつくのを防止することができるという効果がある。
【００３３】
請求項４の発明は、請求項１ないし請求項３の発明において、ケースは、埋込型の配線器具用の取付枠に該取付枠の開口窓からケースの前面が露出する形で最大３個まで連設して取り付けることができる単位寸法の埋込型の配線器具の３個分に相当する寸法に形成され、上記取付枠に取り付けるための取付部が形成されているので、コンセントやスイッチなどの埋込型の配線器具と同じ施工法で施工することができ、施工業者にとって施工作業が容易になり、また、埋込型の配線器具用の取付枠に取り付けることができるから、専用の取付枠を別途に用意する必要がなく、製造コストを低減できるとともに、在庫管理が容易になるという効果がある。
【図面の簡単な説明】
【図１】実施形態の断面図である。
【図２】同上の分解斜視図である。
【図３】同上の要部断面図である。
【図４】同上の要部の他の構成例を示す断面図である。
【図５】同上に用いる検知エリア調整部材の斜視図である。
【図６】同上の用いる検知エリア調整部材の下面図である。
【図７】同上において検知エリア調整部材を取り外した状態の断面図である。
【図８】同上の他の構成例の断面図である。
【図９】同上に用いる検知エリア調整部材の斜視図である。
【図１０】同上に用いる検知エリア調整部材の下面図である。
【図１１】従来例の断面図である。
【符号の説明】
１  ケース
２  熱線センサ
１０  ボディ
２０  カバー
３３  レンズ板
３４  レンズカバー
３５  検知エリア調整部材
３５ｂ  側枠
３６  ミラー部
３６ａ，３６ｂ  ミラー面
３７ａ，３７ｂ  端板
４１  回路基板
４３  回路基板
【図１】
0003565034.tif 000002
【図２】
0003565034.tif 000003
【図３】
0003565034.tif 000004
【図４】
0003565034.tif 000005
【図５】
0003565034.tif 000006
【図６】
0003565034.tif 000007
【図７】
0003565034.tif 000008
【図８】
0003565034.tif 000009
【図９】
0003565034.tif 000010
【図１０】
0003565034.tif 000011
【図１１】
0003565034.tif 000012